(57)【要約】【課題】フックボルトの解錠と障子の開放支援とを１個の操作ハンドルで一挙に行える開放支援機構付き鎌錠を提供する。【解決手段】フックボルト１５、サムターンレバー１６、トリガー１７と、開放支援機構と、これらを収容するケース１０とを有する。開放支援機構は、往復揺動するキックレバー４２と、復帰ばね４６と、キックレバー４２を操作する操作ハンドル４５とを含む。キックレバー４２とフックボルト１５とは、リンク棒４７を介して連結する。全閉状態の障子４を操作ハンドル４５で強制的に開放操作する状態において、操作ハンドル４５のハンドル動作をリンク棒４７でフックボルト１５に伝えて、施錠状態のフックボルト１５を解錠状態に切り換える。【選択図】図１
2006225904.tif 000002
【特許請求の範囲】
【請求項１】
障子（２）に装着されるケース（１０）に、ストライカー（４）と係脱するフックボルト（１５）と、フックボルト（１５）を施錠姿勢と解錠姿勢とに切り換え操作するサムターンレバー（１６）と、解錠状態のフックボルト（１５）が施錠姿勢に切り換わるのを規制するトリガー（１７）と、開放支援機構とが設けてある鎌錠であって、
開放支援機構は、ケース（１０）内の待機姿勢と、その一部がケース（１０）外へ突出する作動姿勢との間で往復動可能に軸支されるキックレバー（４２）と、キックレバー（４２）を待機姿勢へ向かって移動付勢する復帰ばね（４６）と、復帰ばね（４６）の付勢力に抗してキックレバー（４２）を作動姿勢に切り換え操作する操作ハンドル（４５）とを含み、
キックレバー（４２）とフックボルト（１５）とが、リンク棒（４７）を介して連動可能に連結されており、
全閉状態の障子（２）を操作ハンドル（４５）で強制的に開放操作する状態において、操作ハンドル（４５）のハンドル動作に連動してフックボルト（１５）を施錠状態から解錠操作できる開放支援機構付き鎌錠。
【請求項２】
リンク棒（４７）とフックボルト（１５）とが、リンク棒（４７）に固定した連結ピン（５２）と、フックボルト（１５）に形成した連動溝（２４）とを介して連結されており、
連動溝（２４）は、フックボルト（１５）が解錠姿勢と施錠姿勢との間を往復回動するときの連結ピン（５２）と連動溝（２４）との相対回動動作を吸収できるように形成されており、
キックレバー（４２）が待機姿勢にあり、トリガー（１７）が規制解除姿勢に切り換わった状態においてのみ、フックボルト（１５）をサムターンレバー（１６）で解錠姿勢と施錠姿勢とに切り換え操作できる請求項１記載の開放支援機構付き鎌錠。
【請求項３】
リンク棒（４７）とフックボルト（１５）とを連結する連結ピン（５２）が、ケース（１０）に形成したガイド溝（５４）で移行案内されており、
ガイド溝（５４）は、フックボルト（１５）が施錠状態に切り換わった状態における連動溝（２４）と交差する向きに形成されており、
操作ハンドル（４５）でキックレバー（４２）を作動姿勢へ向かって傾動操作する状態において、キックレバー（４２）が戸枠（１）ないしストライカー（４）に当たるのに先行して、フックボルト（１５）を解錠状態に切り換え操作できる請求項２記載の開放支援機構付き鎌錠。
【請求項４】
フックボルト（１５）は、サムターン軸（２０）が固定される連動部（２２）と、連動部（２２）に連続する鈎形の掛止腕（２３）とを一体に備えており、
連動部（２２）とケース（１０）との間に、フックボルト（１５）を解錠姿勢および施錠姿勢に位置保持できるキックばね（１８）が配置してある請求項１または２または３記載の開放支援機構付き鎌錠。
【請求項５】
トリガー（１７）が、ケース（１０）で出退自在に案内支持されるスライドピース（２８）と、一端が揺動可能に軸支され、他端がスライドピース（２８）に連結される係合ピース（３０）と、スライドピース（２８）を進出付勢するトリガーばね（１９）とで構成されており、
係合ピース（３０）が、フックボルト（１５）に設けた係合部（２６）と係合して、フックボルト（１５）の解錠動作を規制する解錠規制姿勢と、フックボルト（１５）の回動軌跡の外へ退避する規制解除姿勢とに変位できる請求項１から４のいずれかに記載の開放支援機構付き鎌錠。
【請求項６】
上枠（１ａ）、下枠（１ｂ）、および左右の縦枠（１ｃ・１ｃ）を有する開口枠（１）と、この開口枠（１）に開閉可能に支持される障子（２）と、開放支援機構付き鎌錠を備えた建具であって、
鎌錠が、障子（２）に装着されるケース（１０）と、縦枠（１ｃ）に装着されるストライカー（４）と、ストライカー（４）と係脱するフックボルト（１５）と、フックボルト（１５）を施錠姿勢と解錠姿勢とに切り換え操作するサムターンレバー（１６）と、解錠状態のフックボルト（１５）が施錠姿勢に切り換わるのを規制するトリガー（１７）と、開放支援機構とを備えている請求項１から５のいずれかに記載の開放支援機構付き鎌錠である建具。
【発明の詳細な説明】
【技術分野】
【０００１】
本発明は、引戸に適用される鎌錠、なかでも開放支援機構付きの鎌錠、およびこの種の鎌錠を備えている建具に関する。
【背景技術】
【０００２】
開放支援機構を備えた引戸は、例えば特許文献１に公知である。そこでは、障子の閉じ端側の開口枠に水平揺動する操作レバーを設けておき、操作レバーのてこ作用によって障子を強制的に開放操作できるようにしている。障子が開放位置にあるとき、鎌錠のフックボルトがケース外へ突出して施錠姿勢に切り換わるのを防止するために、錠内部にトリガー機構を設けるが、この種の鎌錠は特許文献２に公知である。
【０００３】
【特許文献１】特開平８−１３５３０２号公報（段落番号００１８、図４）
【特許文献２】特開平９−４３０３号公報（段落番号００１５、図１）
【発明の開示】
【発明が解決しようとする課題】
【０００４】
特許文献２の鎌錠によれば、障子を全閉操作するだけでフックボルトをストライカーに係合させて施錠できる。このように、フックボルトを自動的に施錠できる鎌錠は、フックボルトを施錠姿勢に切り換える手間を省くことができる。しかし、障子を全閉操作するごとにフックボルトが自動係合されるので、意に反して使用者が締め出されることがある。例えば、テラスに臨んで障子が配置してある場合に、テラス側から障子を全閉操作すると鎌錠が施錠されてしまい室外へ締め出される。
【０００５】
上記の鎌錠においては、解錠用の操作ハンドルを回動操作することにより、フックボルトが解錠姿勢に切り換わり、トリガーによってその状態が保持される。この種の鎌錠に特許文献１のような開放支援機構を付加すると、障子を軽快に開放できるであろう。しかし、開放支援機構を単に付加するだけでは、解錠用の操作ハンドルで解錠操作しながら、開放用の操作レバーで障子を強制開放しなければならず実用上問題がある。操作ハンドルおよび操作レバーが鎌錠の表面に露出するので体裁上の問題もある。
【０００６】
本発明の目的は、操作ハンドルの一回の傾動動作のみで、フックボルトを解錠操作し、同時に障子の開放を支援できる開放支援機構付き鎌錠を提供することにある。本発明の目的は、意に反して使用者が締め出されるのを防止できる開放支援機構付き鎌錠を提供することにある。本発明の目的は、フックボルトの解錠と障子の開放支援とが１個の操作ハンドルのみで連続して一挙に行え、したがって操作が容易で外観がすっきりした開放支援機構付き鎌錠を提供することにある。本発明の目的は、先の開放支援機構付き鎌錠を備えている建具を提供することにある。
【課題を解決するための手段】
【０００７】
本発明の鎌錠は、障子２に装着されるケース１０に対して、ストライカー４と係脱するフックボルト１５と、フックボルト１５を施錠姿勢と解錠姿勢とに切り換え操作するサムターンレバー１６と、解錠状態のフックボルト１５が施錠姿勢に切り換わるのを規制するトリガー１７と、開放支援機構とを備えている。開放支援機構は、ケース１０内の待機姿勢と、その一部がケース１０外へ突出する作動姿勢との間で往復動可能に軸支されるキックレバー４２と、キックレバー４２を待機姿勢へ向かって移動付勢する復帰ばね４６と、復帰ばね４６の付勢力に抗してキックレバー４２を作動姿勢に切り換え操作する操作ハンドル４５とを含む。キックレバー４２とフックボルト１５とは、リンク棒４７を介して連動可能に連結されており、全閉状態の障子２を操作ハンドル４５で強制的に開放操作する状態において、操作ハンドル４５のハンドル動作に連動してフックボルト１５を施錠状態から解錠操作できるようにしたものである。
【０００８】
リンク棒４７とフックボルト１５とは、リンク棒４７に固定した連結ピン５２と、フックボルト１５に形成した連動溝２４とを介して連結する。この連動溝２４は、フックボルト１５が解錠姿勢と施錠姿勢との間を往復回動するときの連結ピン５２と連動溝２４との相対回動動作を吸収できるように形成する。例えば、図１に示すようにし字状に形成することができる。キックレバー４２が待機姿勢にあり、トリガー１７が規制解除姿勢に切り換わった状態においてのみ、フックボルト１５をサムターンレバー１６で解錠姿勢と施錠姿勢とに切り換え操作できるようにする。
【０００９】
リンク棒４７とフックボルト１５とを連結する連結ピン５２は、ケース１０に形成したガイド溝５４で移行案内し、ガイド溝５４は、図８に示すようにフックボルト１５が施錠状態に切り換わった状態における連動溝２４と交差する向きに形成する。以て、操作ハンドル４５でキックレバー４２を作動姿勢へ向かって傾動操作する状態において、キックレバー４２が戸枠１ないしストライカー４に接当するのに先行して、フックボルト１５を解錠状態に切り換え操作できるようにすることができる。
【００１０】
フックボルト１５は、サムターン軸２０が固定される連動部２２と、連動部２２に連続する鈎形の掛止腕２３とを一体に備えており、連動部２２とケース１０との間には、フックボルト１５を解錠姿勢および施錠姿勢に位置保持できるキックばね１８を配置することができる。
【００１１】
トリガー１７は、ケース１０で出退自在に案内支持されるスライドピース２８と、一端が揺動可能に軸支され、他端がスライドピース２８に連結される係合ピース３０と、スライドピース２８を進出付勢するトリガーばね１９とで構成し、係合ピース３０が、フックボルト１５に設けた係合部２６と係合して、フックボルト１５の解錠動作を規制する解錠規制姿勢と、フックボルト１５の回動軌跡の外へ退避する規制解除姿勢とに変位できるようにすることができる。
【００１２】
本発明の建具は、上枠１ａ、下枠１ｂ、および左右の縦枠１ｃ・１ｃを有する開口枠１と、この開口枠１に開閉可能に支持される障子２と、開放支援機構付き鎌錠を備えている。鎌錠は、障子２に装着されるケース１０と、縦枠１ｃに装着されるストライカー４と、ストライカー４と係脱するフックボルト１５と、フックボルト１５を施錠姿勢と解錠姿勢とに切り換え操作するサムターンレバー１６と、解錠状態のフックボルト１５が施錠姿勢に切り換わるのを規制するトリガー１７と、開放支援機構とを備えた上記の鎌錠からなる。
【発明の効果】
【００１３】
本発明では、フックボルト１５、サムターンレバー１６、トリガー１７、および開放支援機構と、これらを収容するケース１０などで鎌錠を構成した。開放支援機構は、キックレバー４２と、キックレバー４２用の復帰ばね４６と、キックレバー４２を切り換え操作する操作ハンドル４５などで構成して、戸枠１やストライカー４に接当したキックレバー４２を操作ハンドル４５で傾動操作することにより、全閉状態の障子２を強制的に開放操作できるようにした。
【００１４】
さらに、キックレバー４２とフックボルト１５とをリンク棒４７で連結して、操作ハンドル４５のハンドル動作に連動してフックボルト１５を解錠操作できるようにした。したがって、本発明の鎌錠によれば、操作ハンドル４５を傾動操作するだけで、フックボルト１５の解錠と障子２の開放支援とを一挙に行うことができる、操作が容易で使い勝手に優れ、しかも外観がすっきりした鎌錠を提供できる。
【００１５】
フックボルト１５が解錠姿勢と施錠姿勢との間を往復回動するときの連結ピン５２と連動溝２４との相対回動動作を、連動溝２４で吸収できるようにすると、フックボルト１５をサムターンレバー１６で解錠姿勢と施錠姿勢とに切り換え操作する際に、開放支援機構がフックボルト１５の回動動作に連動して作動するのを阻止する。したがって、サムターンレバー１６によるフックボルト１５の姿勢切り換えが、より小さな力で軽快に行える。サムターンレバー１６を操作してフックボルト１５の姿勢を変更するので、使用者が意に反して屋外へ締め出されることもない。
【００１６】
キックレバー４２が待機姿勢にあり、トリガー１７が規制解除姿勢に切り換わった状態においてのみ、フックボルト１５の姿勢切り換えを可能とするのは、障子２を開放した状態においてフックボルト１５が施錠姿勢に切り換わるのを防ぐためである。つまり、フックボルト１５がケース１０の外に突出した状態のままで障子２を閉じ操作すると、フックボルト１５がストライカー４と衝突し、これら両者４・１５のいずれかが破損する。こうした状況を避けるために、フックボルト１５の姿勢切り換えをトリガー１７で規制している。
【００１７】
リンク棒４７とフックボルト１５とを連結する連結ピン５２を、ケース１０に形成したガイド溝５４で移行案内し、ガイド溝５４を連動溝２４と交差する向きに形成すると、図１に示すように、操作ハンドル４５でキックレバー４２を作動姿勢へ向かって傾動操作する際に、連結ピン５２をガイド溝５４でフックボルト１５の解錠方向へ向かって強制的に案内移動できる。つまり、連結ピン５２を僅かに移動させるだけで、フックボルト１５の姿勢を迅速に切り換えることができ、したがって、常にフックボルト１５が解錠状態に切り換え操作された状態下で、障子２をキックレバー４２で円滑にしかも軽快に開放操作できる。障子２を開放操作するときは、常にフックボルト１５を解錠状態に保持できるので、操作ハンドル４５が乱暴に傾動操作されるような場合でも、障子２を円滑に開放でき、錠機構が破損することもない。
【００１８】
フックボルト１５の連動部２２とケース１０との間にキックばね１８が配置されていると、解錠姿勢および施錠姿勢に切り換えたフックボルト１５に対して、各姿勢を保持する向きのモーメントを作用する。したがって、外部振動などを受けてフックボルト１５の姿勢が変るのを確実に防止できる。
【００１９】
さらに、キックばね１８の一方のばね腕が掛止されるピン３４の中心と、サムターン軸２０の中心とを結ぶ線上の一点をデッドポイントにして、キックばね１８の他方のばね腕が掛止される掛止ピン２５の中心が、先のデッドポイントのどちら側に位置しているかによって、フックボルト１５をキックばね１８で解錠方向あるいは施錠方向のいずれかへ強制的に回動操作できるので、フックボルト１５の姿勢切り換えを迅速に行える。例えば、サムターンレバー１６でフックボルト１５の姿勢を切り換える際に、サムターンレバー１６を途中位置まで切り換え操作することにより、フックボルト１５をパチンと解錠姿勢や施錠姿勢に切り換えることができる。
【００２０】
スライドピース２８と、スライドピース２８に連結される係合ピース３０と、トリガーばね１９などでトリガー１７を構成すると、障子２が閉じ状態にあるか否かの検知と、フックボルト１５の解錠方向への回動規制とを、スライドピース２８と係合ピース３０とがそれぞれ分担して受け持つので、誤動作を生じる余地がなく、トリガー１７によるフックボルト１５の回動規制作用を長期にわたって安定した状態で発揮できる。
【００２１】
上記のような開放支援機構を備えた建具によれば、操作ハンドル４５の一回の傾動動作のみで、フックボルト１５を解錠操作しながら併行して障子２の開放を支援できるので、力の弱い使用者であっても、障子２の開放操作を容易にしかも確実に行える。
【発明を実施するための最良の形態】
【００２２】
（実施例）  図１ないし図９は本発明に係る鎌錠の実施例を示す。図２において符号１は戸枠、２は引違い可能な左右一対の障子である。各障子２・２と戸枠１の縦枠との間には、本発明の鎌錠が配置してある。戸枠１は、上枠１ａ、下枠１ｂ、および左右の縦枠１ｃ・１ｃで構成してあり、上枠１ａおよび下枠１ｂに設けたガイドレールで障子２を開閉案内する。各障子２は、アルミニウム条材を角枠状に組んだ障子枠２ａと、障子枠２ａに嵌め込まれる板ガラス２ｂとからなり、戸車あるいはランナーに支持されて、戸枠１に設けた上下のガイドレールに沿って開閉できる。符号５はクレセント錠である。
【００２３】
鎌錠は、障子枠２ａの室内側に配置される錠本体３と、戸枠１の縦枠に締結固定されるストライカー４とで構成する。錠本体３は、障子枠２ａの縦枠内に配置されてビスで締結固定される取付ベース８（図６参照）と、取付ベース８にねじ込んだビス９で縦枠の室内側面壁に固定されるケース１０と、ケース１０に組み込まれる錠機構、および開放支援機構などで構成する。ストライカー４には、後述するフックボルト１５を出入りさせるための係合口４ａと、掛止腕を錠止係合させるための係合壁４ｂとが設けてある。
【００２４】
図３においてケース１０は、内ケース１１と外ケース１２とからなる。内ケース１１は、縦長のベース板１１ａと、ベース板１１ａと平行な姿勢で締結固定される枠板１１ｂとからなり、両者１１ａ・１１ｂの対向面間に錠機構の殆どの構成部品を配置する。符号１３は外ケース１２の外面を覆うプラスチック製のカバーである。なお、図１、図７、図８および図９の各図においては、錠構造を理解しやすくするために内ケース１１を省略した状態の内部構造を示している。
【００２５】
図３および図４において錠機構は、ストライカー４に係脱するフックボルト１５と、フックボルト１５を施錠姿勢と解錠姿勢とに切り換え操作するサムターンレバー１６と、解錠状態のフックボルト１５が施錠姿勢に切り換わるのを規制するトリガー１７と、フックボルト１５を回動付勢するキックばね１８と、トリガー１７を移動付勢するトリガーばね１９とを含む。
【００２６】
図４においてフックボルト１５は、サムターン軸２０が固定される連動部２２と、連動部２２に連続する鈎形の掛止腕２３とを一体に備えており、同形に打ち抜いた２枚のプレス金具を重ねた状態でかしめ固定して構成する。
【００２７】
連動部２２には、断面四角形のサムターン軸２０を受け入れる連結穴が形成してあり、この連結穴まわりに連動溝２４を形成し、連動部２２の周縁にキックばね１８用の掛止ピン２５を固定する。掛止腕２３の基端一側には、後述する係合ピース３０と係合する係合部２６が形成してある。
【００２８】
フックボルト１５は、鈎形の掛止腕２３がケース１０の側面から突出してストライカー４に係合する施錠姿勢（図８に示す状態）と、掛止腕２３がストライカー４から分離してケース１０内に収まる解錠姿勢（図９に示す状態）とに回動変位できる。
【００２９】
この姿勢変更は、図７に示すようにトリガー１７が規制解除姿勢に切り換わっている状態においてのみ可能であって、フックボルト１５はサムターンレバー１６で施錠姿勢と解錠姿勢とのいずれにも切り換えることができ、さらに開放支援機構で障子２を強制的に開放操作するとき、操作ハンドル４５の傾動動作に連動して、フックボルト１５を同時に解錠姿勢に切り換えることができる。
【００３０】
トリガー１７は、ベース板１１ａに形成したガイド溝２７（図４参照）で出退スライド自在に案内支持されるスライドピース２８と、一端が枠板１１ｂに固定したピン２９で揺動可能に軸支され、他端がスライドピース２８に連結される係合ピース３０と、スライドピース２８をケース外へ向かって進出付勢するトリガーばね１９などで構成する。
【００３１】
スライドピース２８は左右横長のプラスチックブロックからなり、ベース板１１ａと障子枠２ａとの間の隙間に配置される（図６参照）。このように、スライドピース２８を障子枠２ａに沿って配置すると、スライドピース２８の一端がケース１０から外側方に突出した状態において突出部分が邪魔にならないので、突出端に衣服などが引っ掛かるのを防止できる。
【００３２】
トリガー１７は、スライドピース２８の進出端がストライカー４の表面で受け止められて、その殆どの部分がケース内へ退入する規制解除姿勢（図７に示す状態）と、フックボルト１５の解錠動作を規制する解錠規制姿勢（図９に示す状態）とに変位できる。規制解除姿勢における係合ピース３０は、フックボルト１５の回動軌跡の外に退避しているか、図１に示すように連動部２２の円弧周面で受け止められている。
【００３３】
図９に示すように、障子２が開放位置にあるとき、すなわち、係合ピース３０の爪３１が係合部２６と係合して、フックボルト１５の施錠動作を規制する状態においては、掛止腕２３がケース１０の外へ突出するのを阻止できる。したがって、障子２を閉じ操作するとき、掛止腕２３がストライカー４に衝突して、いずれかが破損するのを確実に防止する。
【００３４】
係合ピース３０は、フックボルト１５と同様に、帯板状の同形のプレス金具を重ねてかしめ固定することにより形成してあり、その丸められた下端側がピン２９で揺動可能に軸支され、上端にフックボルト１５の係合部２６と係合する爪３１が形成してある。
【００３５】
係合ピース３０とスライドピース２８とは、係合ピース３０に固定したピン３２を介して連動可能に連結するが、両者の軌跡差を吸収するためにスライドピース２８の側の連結穴を上下方向の長穴に形成した（図４参照）。ベース板１１ａには、ピン３２の揺動を許す逃げ溝が部分円弧状に形成してある。トリガーばね１９の一端はピン３２に掛止し、他端は枠板１１ｂに掛止する。
【００３６】
キックばね１８は、コイル部の両端から延出されるばね腕の突端のそれぞれに、リング状の掛止部を形成した捻りコイルばねからなり、一方の掛止部を枠板１１ｂに固定したピン３４に掛止装着し、他方の掛止部をフックボルト１５に固定した掛止ピン２５に掛止する。
【００３７】
このように、サムターン軸２０で軸支されたフックボルト１５にキックばね１８を作用させると、フックボルト１５の姿勢を切り換えるとき、掛止ピン２５の中心がピン３４とサムターン軸２０の中心どうしを結ぶ線を横切りながらキックばね１８の姿勢が大きく変る。その結果、キックばね１８による回動モーメントがフックボルト１５に対して逆向に作用するので、解錠姿勢あるいは施錠姿勢に切り換えられたフックボルト１５を、各姿勢に位置保持できる。
【００３８】
内ケース１１とその内部に組み込んだ錠機構とは、外ケース１２の内部に組み込む。図３において外ケース１２は、その取り付け面側が開口する、上下に長い角箱状のプレス金具からなり、戸枠１と対向する側壁に、後述するキックレバー４２用の出退口３５と、フックボルト１５用の出退口３６と、スライドピース２８用の出退口３７とが開口しており、室内側のケース壁面に、後述する操作軸４３用の軸穴３８と、サムターン軸２０用の軸穴３９などが開口している。外ケース１２の外面を覆うカバー１３にも、各退出口および軸穴に対応する開口を形成する。
【００３９】
開放支援機構は、内ケース１１と外ケース１２との間に配置されるキックレバー４２と、キックレバー４２の上部に固定される操作軸４３と、キックレバー４２の下端に遊転自在に軸支されるローラー４４と、カバー１３の外面において操作軸４３に連結される操作ハンドル４５と、キックレバー４２を待機姿勢へ向かって復帰付勢する復帰ばね４６と、キックレバー４２の傾動動作をフックボルト１５に伝えるリンク棒４７などで構成する。
【００４０】
キックレバー４２は、扇形の基部周面から蹴出し腕を下向きに突設したプレス金具からなり、基部の上隅に操作軸４３を固定する。操作軸４３は内ケース１１および外ケース１２で回転自在に軸支してあり、これによりキックレバー４２は、その全体がケース１０内に収容される待機姿勢（図７および８に示す状態）と、ローラー４４がケース１０の外へ突出する作動姿勢（図９に示す状態）との間で往回動でき、復帰ばね４６によって常に待機姿勢へ向かって復帰付勢されている。
【００４１】
リンク棒４７はベース板１１ａと障子枠２ａとの間の隙間に配置してあり（図３および図６参照）、その上端が連結ピン５１を介してキックレバー４２に連結され、下端が連結ピン５２を介してフックボルト１５の連動溝２４に連結してある。したがって、操作ハンドル４５を傾動操作すると、キックレバー４２が復帰ばね４６の付勢力に抗しながら待機姿勢から作動姿勢へ向かって傾動し、キックレバー４２の傾動動作がリンク棒４７を介してフックボルト１５に伝わる。
【００４２】
図８に示すように、フックボルト１５が施錠姿勢にあるときの連動溝２４は、サムターン軸２０の軸中心まわりに形成される部分円弧状の溝と、この溝端に連続する接線方向の直線溝とでし字状に形成してあり、連結ピン５２は部分円弧状の溝と直線溝との隣接部分に位置している。
【００４３】
図４において連結ピン５２の両端は、ベース板１１ａおよび枠板１１ｂに形成したガイド溝５４で案内支持されていて、その移動軌跡が規制されている。ガイド溝５４は連動溝２４と同じ形であって、図８に示すように、フックボルト１５が施錠状態に切り換わった状態における連動溝４７と交差する向きに形成する。連動溝２４が図９に示す位置あるとき両溝２４・５４はぴったりと重なる。
【００４４】
このように連結ピン５２の移動軌跡をガイド溝５４で規定すると、操作ハンドル４５を傾動するとき、フックボルト１５の解錠方向への回動動作を早めることができ、ローラー４４がストライカー４に接当するのに先行して、フックボルト１５を解錠姿勢に切り換えることができる。
【００４５】
この実施例では、図１に示すように、ローラー４４の周面が出退口３５に達した時点で、フックボルト１５の掛止腕２３がストライカー４との係合を解除してケース１０内へ入りかける。このとき、掛止ピン２５の中心は、サムターン軸２０の中心とピン３４の中心を結ぶ直線上のデッドポイントに位置しており、この状態からフックボルト１５が僅かでも時計回転方向へ回動すると、以後はキックばね１８の弾性力によってフックボルト１５を解錠姿勢側へ回動変位できる。
【００４６】
この後、図９に示すように操作ハンドル４５をさらに傾動操作して、ローラー４４をストライカー４に接当させ、キックレバー４２の蹴出し反力を障子２に作用させることにより、障子２を強制的に開放操作できる。したがって、風圧で開放しづらいような状況下であっても、障子２を軽快に開放できる。障子２の開放移動に伴ってスライドピース２８がケース１０から押し出される。そのため、係合ピース３０はトリガーばね１９によって時計回転方向へ揺動操作され、図９に示すように、その爪３１が係合部２６に落とし込み係合して、フックボルト１５が施錠姿勢に切り換わるのを規制する。
【００４７】
上記のように、フックボルト１５は操作ハンドル４５の開放操作に連動して解錠操作できるが、施錠姿勢への切り換えは使用者が行う。例えば、障子２の全閉操作に連動してフックボルト１５が自動的に施錠できるようにしてあると、使用者が意に反して室外へ締め出されることがある。こうした締め出しを防ぐために、フックボルト１５の施錠状態への切り換えをサムターンレバー１６で行って、使用者の明確な意図がない限りはフックボルト１５を施錠できないようにしてある。
【００４８】
図７に示すように障子２を全閉操作した状態では、スライドピース２８がストライカー４の表面に接当して、トリガーばね１９の付勢力に抗してケース１０内へ押し戻される。スライドピース２８の退入動作に伴って、係合ピース３０が反時計回転方向へ揺動し、その爪３１が係合部２６との係合を解除し、トリガー１７が規制解除姿勢に切り換わる。この状態でサムターンレバー１６を反時計回転方向へ回動操作することにより、フックボルト１５を施錠状態に切り換えて、掛止腕２３をストライカー４に係合することができる。もちろん必要があれば、サムターンレバー１６を逆向きに回動操作してフックボルト１５を解錠姿勢に切り換えることができる。
【００４９】
このように、サムターンレバー１６を回動操作して、フックボルト１５を解錠姿勢と施錠姿勢とに切り換え操作するとき、開放支援機構が連動して動くと、サムターンレバー１６を切り換え操作するのに大きな力が必要になってしまう。そこで、連動溝２４をし字状の溝で形成して、フックボルト１５の姿勢を切り換える際の連結ピン５２と連動溝２４との相対回動動作を連動溝２４で吸収し、サムターンレバー１６をより軽快に切り換え操作できるようにしている。
【００５０】
以上のように構成した鎌錠は、キックレバー４２が待機姿勢にあり、トリガー１７がストライカー４あるいは戸枠１に接当して規制解除姿勢に切り換わった状態においてのみ、フックボルト１５をサムターンレバー１６で解錠姿勢と施錠姿勢とに切り換え操作でき、操作ハンドル４５の傾動操作に連動して、施錠姿勢のフックボルト１５を解錠姿勢に切り換えることができる。
【００５１】
キックレバー４２のローラー４４は省略することができ、その場合には蹴出し腕の先端を戸枠１やストライカー４に接当させて、障子２を強制的に開放操作する。スライドピース２８は、戸枠１と接当してケース１０内へ退入するように構成できる。
【００５２】
上記の実施例では、キックレバー４２の蹴出し動作に先行してフックボルト１５が解錠操作されるようにしたが、キックレバー４２の蹴出し動作とフックボルト１５の解錠動作とが同時であってもよい。
【図面の簡単な説明】
【００５３】
【図１】鎌錠の縦断正面図であり、フックボルトは解錠途中状態にある。
【図２】引違戸の正面図である。
【図３】鎌錠の分解斜視図である。
【図４】錠機構の分解斜視図である。
【図５】鎌錠の縦断側面図である。
【図６】図８におけるＡ−Ａ線断面図である。
【図７】鎌錠の縦断正面図であり、トリガーが規制解除状態になっている。
【図８】鎌錠の縦断正面図であり、フックボルトが施錠状態になっている。
【図９】鎌錠の縦断正面図であり、フックボルトは解錠状態になっている。
【符号の説明】
【００５４】
１  戸枠
２  障子
４  ストライカー
１０  ケース
１５  フックボルト
１６  サムターンレバー
１７  トリガー
１８  キックばね
１９  トリガーばね
２０  サムターン軸
２２  連動部
２３  掛止腕
２４  連動溝
２６  係合部
２８  スライドピース
３０  係合ピース
４２  キックレバー
４５  操作ハンドル
４６  復帰ばね
４７  リンク棒
５２  連結ピン
５４  ガイド溝
【図１】
2006225904.tif 000003
【図２】
2006225904.tif 000004
【図３】
2006225904.tif 000005
【図４】
2006225904.tif 000006
【図５】
2006225904.tif 000007
【図６】
2006225904.tif 000008
【図７】
2006225904.tif 000009
【図８】
2006225904.tif 000010
【図９】
2006225904.tif 000011